【手続補正書】
【提出日】平成16年8月4日(2004.8.4)
【手続補正１】
【補正対象書類名】明細書
【補正対象項目名】特許請求の範囲
【補正方法】変更
【補正の内容】
【特許請求の範囲】
【請求項１】
生ゴミ等の厨芥を加熱する加熱部と、
上記加熱部と連通され上記厨芥から発生した水蒸気を冷却して凝縮させる凝縮部と、
上記凝縮部で凝縮した凝縮水を外部に排出する排出路とを備え、
上記加熱部で上記厨芥を加熱して水分を蒸発させると共に、上記凝縮部で上記水蒸気を凝縮させて上記厨芥の乾燥処理を行なう厨芥処理機において、
上記排出路は台所のシンクの水を排水する排水管に連通されて凝縮水を排水すると共に、
上記凝縮部と上記シンクとを当接させて上記凝縮部から台所のシンクへ放熱することを特徴とする厨芥処理機。
【請求項２】
生ゴミ等の厨芥を加熱する加熱部と、
上記加熱部と連通され上記厨芥から発生した水蒸気を冷却して凝縮させる凝縮部と、
上記凝縮部で凝縮した凝縮水を外部に排出する排出路とを備え、
上記加熱部で上記厨芥を加熱して水分を蒸発させると共に、上記凝縮部で上記水蒸気を凝縮させて上記厨芥の乾燥処理を行なう厨芥処理機において、
上記排出路は台所のシンクの水を排水する配水管に連通されて凝縮水を排水すると共に、
上記排出路と上記排水管とを一体に固定して熱伝導させる熱伝導部材を設けて上記排出路から台所のシンクの排水管へ放熱することを特徴とする厨芥処理機。
【請求項３】
生ゴミ等の厨芥を加熱する加熱部と、
上記加熱部と連通され上記厨芥から発生した水蒸気を冷却して凝縮させる凝縮部と、
上記凝縮部で凝縮した凝縮水を外部に排出する排出路とを備え、
上記加熱部で上記厨芥を加熱して水分を蒸発させると共に、上記凝縮部で上記水蒸気を凝縮させて上記厨芥の乾燥処理を行なう厨芥処理機において、
上記排出路は台所のシンクの水を排水する配水管に連通されて凝縮水を排水すると共に、
台所のシンクの排水管途中に設けられ、臭気の戻りを滞留水によって遮るトラップを上記凝縮部内に配置して、上記凝縮部から上記トラップへ放熱することを特徴とする厨芥処理機。
【手続補正２】
【補正対象書類名】明細書
【補正対象項目名】０００５
【補正方法】削除
【補正の内容】
【手続補正３】
【補正対象書類名】明細書
【補正対象項目名】０００６
【補正方法】変更
【補正の内容】
【０００６】
【課題を解決するための手段】
上記課題を解決する本発明の請求項１記載の厨芥処理機は、
生ゴミ等の厨芥を加熱する加熱部と、
上記加熱部と連通され上記厨芥から発生した水蒸気を冷却して凝縮させる凝縮部と、
上記凝縮部で凝縮した凝縮水を外部に排出する排出路とを備え、
上記加熱部で上記厨芥を加熱して水分を蒸発させると共に、上記凝縮部で上記水蒸気を凝縮させて上記厨芥の乾燥処理を行なう厨芥処理機において、
上記排出路は台所のシンクの水を排水する排水管に連通されて凝縮水を排水すると共に、
上記凝縮部と上記シンクとを当接させて上記凝縮部から台所のシンクへ放熱することを要旨とする。
【手続補正４】
【補正対象書類名】明細書
【補正対象項目名】０００７
【補正方法】変更
【補正の内容】
【０００７】
また、上記課題を解決する本発明の請求項２記載の厨芥処理機は、
生ゴミ等の厨芥を加熱する加熱部と、
上記加熱部と連通され上記厨芥から発生した水蒸気を冷却して凝縮させる凝縮部と、
上記凝縮部で凝縮した凝縮水を外部に排出する排出路とを備え、
上記加熱部で上記厨芥を加熱して水分を蒸発させると共に、上記凝縮部で上記水蒸気を凝縮させて上記厨芥の乾燥処理を行なう厨芥処理機において、
上記排出路は台所のシンクの水を排水する排水管に連通されて凝縮水を排水すると共に、
上記排出路と上記排水管とを一体に固定して熱伝導させる熱伝導部材を設けて上記排出路から台所のシンクの排水管へ放熱することを要旨とする。
【手続補正５】
【補正対象書類名】明細書
【補正対象項目名】０００８
【補正方法】変更
【補正の内容】
【０００８】
また、上記課題を解決する本発明の請求項３記載の厨芥処理機は、
生ゴミ等の厨芥を加熱する加熱部と、
上記加熱部と連通され上記厨芥から発生した水蒸気を冷却して凝縮させる凝縮部と、
上記凝縮部で凝縮した凝縮水を外部に排出する排出路とを備え、
上記加熱部で上記厨芥を加熱して水分を蒸発させると共に、上記凝縮部で上記水蒸気を凝縮させて上記厨芥の乾燥処理を行なう厨芥処理機において、
上記排出路は台所のシンクの水を排水する排水管に連通されて凝縮水を排水すると共に、
台所のシンクの排水管途中に設けられ、臭気の戻りを滞留水によって遮るトラップを上記凝縮部内に配置して、上記凝縮部から上記トラップへ放熱することを要旨とする。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】変更
【補正の内容】
【００１０】
上記構成を有する本発明の請求項１記載の厨芥処理機は、加熱部で厨芥を加熱して水分を蒸発させつつ凝縮部で水蒸気を冷却して凝縮する。
そして、厨芥から発生した臭気のほとんどは凝縮した水に溶け込み、この凝縮水をシンクの排水管へ排出し、下水として処理する。
従って、水蒸気を凝縮し、この凝縮水と共に臭気成分を容易に処理できる。
その結果、特別な排水処理装置が不要となって厨芥処理機を安価にできる。
さらに、凝縮部から台所のシンクへ熱伝導によって放熱され、水蒸気の凝縮が促進される。
その結果、凝縮部を冷却する冷却用ファンが不要となって厨芥処理機を安価にできる。
【手続補正８】
【補正対象書類名】明細書
【補正対象項目名】００１１
【補正方法】変更
【補正の内容】
【００１１】
また、上記構成を有する本発明の請求項２記載の厨芥処理機は、加熱部で厨芥を加熱して水分を蒸発させつつ凝縮部で水蒸気を冷却して凝縮する。
そして、厨芥から発生した臭気のほとんどは凝縮した水に溶け込み、この凝縮水をシンクの排水管へ排出し、下水として処理する。
従って、水蒸気を凝縮し、この凝縮水と共に臭気成分を容易に処理できる。
その結果、特別な排水処理装置が不要となって厨芥処理機を安価にできる。
さらに、凝縮部から台所のシンクの排水管へ熱伝導部材を介して放熱され、水蒸気の凝縮が促進される。
その結果、凝縮部を冷却する冷却用ファンが不要となって厨芥処理機を安価にできる。
【手続補正９】
【補正対象書類名】明細書
【補正対象項目名】００１２
【補正方法】変更
【補正の内容】
【００１２】
また、上記構成を有する本発明の請求項３記載の厨芥処理機は、加熱部で厨芥を加熱して水分を蒸発させつつ凝縮部で水蒸気を冷却して凝縮する。
そして、厨芥から発生した臭気のほとんどは凝縮した水に溶け込み、この凝縮水をシンクの排水管へ排出し、下水として処理する。
従って、水蒸気を凝縮し、この凝縮水と共に臭気成分を容易に処理できる。
その結果、特別な排水処理装置が不要となって厨芥処理機を安価にできる。
さらに、凝縮部から台所のシンクのトラップへ放熱され、トラップ内の滞留水によって冷却され、水蒸気の凝縮が促進される。
その結果、凝縮部を冷却する冷却用ファンが不要となって厨芥処理機を安価にできる。
【手続補正１０】
【補正対象書類名】明細書
【補正対象項目名】００２４
【補正方法】削除
【補正の内容】
【手続補正１１】
【補正対象書類名】明細書
【補正対象項目名】００２５
【補正方法】変更
【補正の内容】
【００２５】
【発明の効果】
以上詳述したように本発明の請求項１、２、３記載の厨芥処理機によれば、臭気が溶け込んだ凝縮水をシンクからの生活排水と共に下水として容易に処理できるという優れた効果を奏する。
その結果、特別な排水処理装置が不要となって厨芥処理機を安価にできる。
さらに、凝縮部は、台所のシンク、シンクの排水管、またはシンクのトラップにより冷却され、水蒸気の凝縮を行うことができる。
従って、冷却用のファンが不要となって厨芥処理機を安価にできる。